(57)【要約】【課題】  小型で、しかもできるだけ部品を共通化してまとめて取り扱いを簡単としながら、携帯機器の多機能化に対応可能とする。【解決手段】  軸方向にスライド自在でかつ軸まわりに回転可能に設けられる巻真（外部操作ロッド）２４と、それが貫挿されてその巻真とともに回転されるスイッチ車（カム車）１８と、巻真と係合してその軸方向の動きに連動して回動されるオシドリ（回動レバー）３４と、その回動位置を多段に位置決めして巻真のスライド方向位置を複数段に定めるオシドリバネ（位置決め部材）２８と、オシドリとともに回動されて接点７０〜７３と接離されることにより電気的導通をとりまたは遮断するスイッチ板４７と、スイッチ車の外周カム面により弾性変形されて接点と接離されることにより電気的導通をとりまたは遮断するコンタクト板４０と、以上のものが取り付けられる板状のユニットベース１０とが備えられている。【選択図】      図１
2007071748.tif 000002
【特許請求の範囲】
【請求項１】
軸方向にスライド自在でかつ軸まわりに回転可能に設けられる外部操作ロッドと、
その外部操作ロッドが貫挿されてその外部操作ロッドとともに回転されるカム車と、
前記外部操作ロッドと係合してその外部操作ロッドの軸方向の動きに連動して回動される回動レバーと、
その回動レバーの回動位置を多段に位置決めして前記外部操作ロッドのスライド方向位置を複数段で定める位置決め部材と、
前記回動レバーとともに回動されて接点と接離されることにより電気的導通をとりまたは遮断するスイッチ板と、
前記カム車の外周カム面により弾性変形されて接点と接離されることにより電気的導通をとりまたは遮断するコンタクト板と、
以上の外部操作ロッド、カム車、回動レバー、位置決め部材、スイッチ板、コンタクト板が取り付けられる板状のユニットベースと、
が備えられていることを特徴とする、携帯機器の外部操作ユニット。
【請求項２】
前記外部操作ロッドが前記カム車に半圧入で貫挿されていることを特徴とする、請求項１に記載の携帯機器の外部操作ユニット。
【請求項３】
前記カム車をプラスチック製とし、その中心孔の内周面に、前記外部操作ロッドが軸まわりに回転されるときにその外部操作ロッドが係合する凸部が形成されていることを特徴とする、請求項１または２に記載の携帯機器の外部操作ユニット。
【請求項４】
前記カム車に外周カム面が２つ設けられる一方、それらの各外周カム面に対応してそれらの各外周カム面により個別に弾性変形される２つの弾性片が前記コンタクト板に設けられていることを特徴とする、請求項１ないし３のいずれかに記載の携帯機器の外部操作ユニット。
【請求項５】
前記コンタクト板に、電気的導通をとる端子部が形成されていることを特徴とする、請求項１ないし４のいずれかに記載の携帯機器の外部操作ユニット。
【請求項６】
前記回動レバーと前記スイッチ板とが同一の回動中心で回動されることを特徴とする、請求項１ないし５のいずれかに記載の携帯機器の外部操作ユニット。
【請求項７】
請求項１ないし６のいずれかに記載の外部操作ユニットが備えられていることを特徴とする、携帯機器。
【請求項８】
前記外部操作ユニットが、ムーブメントが固定される回路基板に取り付けられていることを特徴とする、請求項７に記載の携帯機器。
【発明の詳細な説明】
【技術分野】
【０００１】
この発明は、腕時計、懐中時計など、巻真等の外部操作ロッドを用いて表示を修正したり、機能を選択したりする小型の携帯機器に関する。および、そのような携帯機器において、外部操作を行う部分をユニット化した外部操作ユニットに関する。
【背景技術】
【０００２】
今日、携帯機器では、多機能化が進んでいる。例えば、腕時計では、多モード修正機能が必要な電波時計などが普及し始めている。このような多機能化に対応すべく、電波時計では、外部操作ロッドである巻真とともに、別にボタンスイッチを設け、巻真操作でアナログの時刻修正を、ボタンスイッチ操作でデジタルの時刻修正を行うものがあった。
【０００３】
ところが、このような外部操作ロッドである巻真とともにボタンスイッチを設ける修正機構では、外装ケースに別途ボタンスイッチを外部操作可能に備えなければならないから、スイッチ配置を行うための設計上の制約を受け、またデザイン上の制約を受ける問題があった。
【０００４】
このため、従来の携帯機器の中には、例えば特許文献１に記載されるように、１つの外部操作ロッドを軸方向にスライドしてモード選択を行い、各選択モードで軸まわりに回転して表示修正を行うようにし、多機能化に対応するようにしたアナログ時間表示付電子時計が提案されている。
【０００５】
【特許文献１】特許第３０４３０１５号公報
【発明の開示】
【発明が解決しようとする課題】
【０００６】
しかしながら、このような従来の携帯機器では、外部操作ロッドと係合して外部操作ロッドの軸方向の動きに連動して回動される回動レバーを２つ設け、それらの回動レバーで各々バネ導線をたわませて接点に接続したりたわみを解除して接点から離したりし、電気的導通をとりまたは遮断する構成とするので、外部操作ロッドの軸方向位置が２段にしか可変できず、多機能化に対する対応が必ずしも十分とはいえなかった。
【０００７】
そこで、この発明の目的は、大型化することなく小型で、しかもできるだけ部品を共通化するとともにまとめて取り扱いを簡単としながら、携帯機器の多機能化に対応可能とする、携帯機器の外部操作ユニット、およびそのような外部操作ユニットを備える携帯機器を提供することにある。
【課題を解決するための手段】
【０００８】
かかる目的を達成すべく、この発明の第１の態様は、
軸方向にスライド自在でかつ軸まわりに回転可能に設けられる、巻真等の外部操作ロッドと、
その外部操作ロッドが貫挿されてその外部操作ロッドとともに回転される、スイッチ車等のカム車と、
外部操作ロッドと係合してその外部操作ロッドの軸方向の動きに連動して回動される、オシドリ等の回動レバーと、
その回動レバーの回動位置を多段に位置決めして外部操作ロッドのスライド方向位置を複数段に定める、オシドリバネ等の位置決め部材と、
回動レバーとともに回動されて接点と接離されることにより電気的導通をとりまたは遮断するスイッチ板と、
カム車の外周カム面により弾性変形されて接点と接離されることにより電気的導通をとりまたは遮断するコンタクト板と、
以上の外部操作ロッド、カム車、回動レバー、位置決め部材、スイッチ板、コンタクト板が取り付けられる板状のユニットベースと、
が備えられていることを特徴とする、時計用巻真ユニットなどの携帯機器の外部操作ユニットである。
【０００９】
そして、機能選択時は、外部操作ロッドが軸方向にスライドされて回動レバーが回動され、その回動位置が位置決め部材で順次位置決めされて外部操作ロッドのスライド方向位置が定められ、外部操作ロッドが押込み位置や一段引き位置や二段引き位置などに保持される一方、回動レバーとともにスイッチ板が回動されて接点と接離されることにより電気的導通が図られまたは遮断されてモード選択がなされる。その後、外部操作ロッドが軸まわりに回転されてそれにともないカム車が回転され、そのカム車の外周カム面によりコンタクト板が弾性変形されて接点と接離されることにより電気的導通が図られまたは遮断され、外部操作ロードの回転方向や回転速度や回転回数などに基づき、選択したモードにおいて表示修正等がなされる。
【００１０】
外部操作ロッドは、カム車の中心孔に半圧入で貫挿されるとよい。カム車は、プラスチック製とし、その中心孔の内周面に、外部操作ロッドが軸まわりに回転されるときにその外部操作ロッドが係合する凸部が形成されているとよい。また、カム車に外周カム面が２つ設けられる一方、それらの各外周カム面に対応してそれらの各外周カム面により個別に弾性変形される２つの弾性片がコンタクト板に設けられているとよい。他方、コンタクト板には、電気的導通をとる端子部が形成されているとよい。また、回動レバーとスイッチ板とは、同一の回動中心で回動されるとよい。
【００１１】
上述した目的を達成すべく、この発明の第２の態様は、請求項１ないし６のいずれかに記載の外部操作ユニットが備えられていることを特徴とする、携帯機器である。外部操作ユニットは、ムーブメントが固定される回路基板に取り付けられるようにするとよい。
【発明の効果】
【００１２】
この発明の第１の態様によれば、回動レバーの回動位置が位置決め部材で順次位置決めされて外部操作ロッドのスライド方向位置が複数段に定められるので、位置決め部材の形状により適宜操作段数を設定することにより、外部操作ロッドをスライドして３段以上の多段に位置決めすることも容易であり、その各段モードにおいて表示修正等を可能として、近年の電波時計等の多モード修正機能が必要な時計などにも簡単に対応する携帯機器の外部操作ユニットを提供することができる。
【００１３】
また、外部操作ロッドに回動レバーが直接係合されたり、回動レバーとともに回動されるスイッチ板を備えたり、外部操作ロッド、カム車、回動レバー、位置決め部材、スイッチ板、コンタクト板が板状のユニットベースに取り付けられたりされることにより、全体を小さくまとめて小型化するとともに、部品の共通化を図り、ユニット化してシンプルとし、汎用性を高めて取り扱いを簡単とする携帯機器の外部操作ユニットを提供することができる。
【００１４】
しかも、１つの外部操作ロッドの軸方向のスライドと軸まわりの回転で機能選択を行うことができ、外部操作ロッド以外のボタンスイッチ等の他の部材を必要としないから、設計上の制約がなく、デザイン上の制約もない携帯機器の外部操作ユニットを提供することができる。
【００１５】
外部操作ロッドがカム車の中心孔に半圧入で貫挿されるようにすると、外部操作ロッド上におけるカム車の位置を自由に変更することができ、カム車が平面的に移動しないから省スペースとする一方、カム車が十分な回転トルクを得ることができる。また、カム車をプラスチック製とし、その中心孔の内周面に、外部操作ロッドが軸まわりに回転されるときにその外部操作ロッドが係合する凸部が形成されるようにすると、外部操作ロッドの軸まわりの回転を耐久性を持っていつまでも確実にカム車に伝達することができる。
【００１６】
他方、カム車に２つの外周カム面が設けられる一方、それらの各外周カム面に対応してコンタクト板に２つの弾性片が設けられるようにすると、２つの弾性片が位相をずらせて作動させることにより、導通態様を増やすとともに、外部操作ロッドの回転速度や回転回数などとともに回転方向も検出することができる。コンタクト板に端子部が形成されると、その端子部を用いて電気的導通を安定させることができる。また、回動レバーとスイッチ板とが同一の回動中心で回動されるようにすると、回動レバーとスイッチ板とを省スペースで配置することができる。
【００１７】
この発明の第２の態様によれば、上述した効果を有する第１の態様の外部操作ユニットが備えられた携帯機器を提供することができる。そして、外部操作ユニットが、ムーブメントが固定される回路基板に取り付けられるようにすると、機種の異なるムーブメントへの取り付けを簡単として、外部操作ユニットに一層汎用性を持たせることができる。
【発明を実施するための最良の形態】
【００１８】
以下、図面を参照しつつ、この発明を実施するための最良の形態につき説明する。
図１には、外部操作ユニットの一例である巻真ユニットの組立て状態、ならびにそのＡ‐Ａ線およびＢ‐Ｂ線断面を示す。図２には、その巻真ユニットを分解して示す。
【００１９】
図中符号１０は、巻真ユニット１００の、ほぼ矩形をなす板状のユニットベースである。ユニットベース１０には、板面に沿って貫いて板厚内に巻真挿通孔１２が形成される。巻真挿通孔１２は、ユニットベース１０の表裏を貫通する矩形のカム車室１３を横切って形成されている。また、ユニットベース１０には、中心にねじ孔を有する１つの第１のポスト１４がカム車室１３の近くに圧入され、同じくねじ孔を有する別の２つの第２のポスト１５が大きく間隔をあけて圧入される。さらに、第１のポスト１４と並んで、巻真挿通孔１２の脇には、段付きピン１６が圧入されている。符号１７は、第１のポスト１４を挟んで、圧入により立てて設けられている２つの位置決めピンである。
【００２０】
そのようなユニットベース１０には、まずカム車室１３に、カム車であるスイッチ車１８が緩く挿入される。スイッチ車１８は、変形可能なプラスチック製とし、例えば図３に示すように、中心に中心孔１９を有する肉厚筒状で、周方向に２つの外周カム面２０，２１が並んで設けられている。中心孔１９の内周面には、軸方向にのびるリブ状の凸部２２が周方向に等間隔に６つ形成されている。
【００２１】
次には、カム車室１３内にスイッチ車１８を保持した状態で、ユニットベース１０の巻真挿通孔１２に、外部操作ロッドである巻真２４が、軸方向にスライド自在でかつ軸まわりに回転可能に貫挿される。巻真２４は、図１および図２に示すとおり、通常のものと同様に、ロッドの外端２５にリューズが取り付けられ、内端部２６が断面ほぼ正方形状に形成されるとともに、その少し外端２５寄りに円周係合溝２７が形成されている。そして、巻真２４の内端部２６がカム車室１３を通過するとき、図４に示すようにそこにあるスイッチ車１８の中心孔１９に貫挿され、図５に示すように内端部２６の角部が中心孔１９の内周面に半圧入されて巻真２４とともに回転されるようになっている。また、多少摩耗して圧入状態が少し緩くなったとしても、巻真２４が軸まわりに回転されるとき、その巻真２４が凸部２２に係合され、巻真２４の回転が耐久性を持ってスイッチ車１８にいつまでも確実に伝達されるようになっている。
【００２２】
その後、ユニットベース１０の板面上に、板状の位置決め部材であるオシドリバネ２８の矩形本体部２９が重ね合わせて取り付けられる。オシドリバネ２８には、矩形本体部２９に、ポスト孔３０と、その両側の位置決め孔３１と、ピン孔３２があけられており、矩形本体部２９からのびる弾性部３３には、通常のものと同様に、先端近くに、この例では３つの突部ａが形成され、それらにより複数の位置決め部ｂが形成されている。そして、ポスト孔３０に第１のポスト１４を、ピン孔３２に段付きピン１６を通し、位置決め孔３１に位置決めピン１７を入り込ませ、ユニットベース１０の板面上にオシドリバネ２８が位置決めして固定される。
【００２３】
オシドリバネ２８の上には、さらに回動レバーであるオシドリ３４が段付きピン１６を中心として回動自在に取り付けられる。オシドリ３４には、段付きピン１６がはまり込むピン孔３５と、巻真２４の円周係合溝２７に入り込む頭部３６と、腕部に立てた上向きピン３７と、尾部に立てた下向きピン３８とが設けられている。そして、巻真２４の軸方向の動きに連動して段付きピン１６を中心としてオシドリ３４が回動され、その下向きピン３８が位置決め部ｂの１つにはまり込んでオシドリ３４の回動位置がオシドリバネ２８により多段に位置決めされ、巻真２４のスライド方向位置が順次複数段で定められるようになっている。
【００２４】
オシドリバネ３０の上には、また重ね合わせてコンタクト板４０が取り付けられる。コンタクト板４０には、図６に示すように、本体部４１にあけられるポスト孔４２およびその両側の位置決め孔４３と、本体部４１から平行にのびる２つの弾性片４４と、本体部４１から切り起こされる端子部４５とが設けられている。そして、ポスト孔４２に第１のポスト１４を通して位置決め孔４３に位置決めピン１７を入れて位置決めして、弾性片４４の先端をスイッチ車１８の外周カム面２０，２１上までのばし、各外周カム面２０，２１に対応してそれらの各外周カム面２０，２１により個別に弾性変形される２つの弾性片４４が設けられる。
【００２５】
それから、オシドリ３４の上には、重ね合わせてスイッチ板４７が取り付けられる。スイッチ板４７には、環板部４８の中心にピン孔４９が形成され、その外周に１つのピン孔５０があけられており、環板部４８からのびるアーム部５１の先端に接点部５２が設けられている。そして、ピン孔４９に段付きピン１６を通してピン孔５０にオシドリ３４の上向きピン３７が挿入され、オシドリ３４とともに同一の回動中心で回動されるようになっている。
【００２６】
その後、コンタクト板４０およびスイッチ板４７の上に重ね合わせ、板状の裏押え５４が取り付けられる。裏押え５４には、ポスト孔５５と、その両側の位置決め孔５６と、ピン孔５７とが設けられている。そして、ポスト孔５５に第１のポスト１４を、ピン孔５７に段付きピン１６を通し、位置決め孔５６に位置決めピン１７が挿入されて位置決め固定される。
【００２７】
そして、裏押え５４の上から第１のポスト１４に固定ねじ５８がねじ付けられ、裏押え５４で、ユニットベース１０上にオシドリバネ２８、オシドリ３４、コンタクト板４０、スイッチ板４７が押さえ付けられ、巻真２４が軸方向にスライド自在でかつ軸まわりにスイッチ車１８とともに回転可能に設けられる。
【００２８】
以上のようにして組み立てた巻真ユニット１００は、例えば図７（Ａ）に示すように、第２のポスト１５にねじ付けて取付ねじ６０で回路基板６２に取り付ける。または、図７（Ｂ）に示すように、回路基板６２にフック６３を固定し、そのフック６３をユニットベース１０に掛け止めて巻真ユニット１００が回路基板６２に取り付けられる。さらには、図７（Ｃ）に示すように、反対にユニットベース１０にフック部６４を形成し、そのフック部６４を回路基板６２に掛け止めて巻真ユニット１００が回路基板６２に取り付けられるようにしてもよい。この他にも、ユニットベース１０に孔を開け、タッピングネジで直に巻真ユニット１００が回路基板６２に固定されるようにしてもよい。
【００２９】
ところで、回路基板６２には、例えば図８に示すように、φ１８．５×１５．３サイズのムーブメント６５が固定される。そして、時計枠６６にはめ付けるなどして全体でφ２７の時計モジュール６７が構成されている。そして、巻真ユニット１００の巻真２４の外部操作に基づくスイッチ信号が回路基板６２のＩＣ（図示せず）に送られ、そのＩＣから早送りや逆転などのモータ制御パルスが送出されてムーブメント６５の不図示の駆動モータが駆動され、時刻修正等が行われる。
【００３０】
さて、回路基板６２には、例えば図９に示すように、スイッチ板４７の接点部５２が接離する４つの接点７０〜７３、コンタクト板４０の各弾性片４４が個々に接離する２つの接点７４，７５、コンタクト板４０の端子部４５が常時接触する接点７６が設けられている。
【００３１】
そして、巻真２４が通常位置にあるときには、図９（Ａ）に示すように、スイッチ板４７の接点部５２は、２つ目の接点７１と接触している。この通常状態から巻真２４を押し込むと、オシドリ３４が段付きピン１６を中心として反時計まわりに回動され、オシドリ３４の下向きピン３８がオシドリバネ２８の弾性部３３の弾性に抗して移動される。そして、上向きピン３７がピン孔５０に入り込んでいることから、同じく段付きピン１６を中心としてスイッチ板４７も同方向に回動され、図９（Ｂ）に示すように、スイッチ板４７の接点部５２がはじめの接点７０と接触し、２つ目の接点７１との電気的導通を遮断してはじめの接点７０と電気的導通をとり、例えばＥＬやＬＥＤ等を点灯する。
【００３２】
反対に、通常状態から巻真２４を一段引き出すと、オシドリ３４が段付きピン１６を中心として今度は逆に時計まわりに回動され、下向きピン３８が弾性部３３の突部ａを乗り越えて逆隣りの位置決め部ｂにはまり込んで位置決めされる。そして、同じく段付きピン１６を中心としてスイッチ板４７も同方向に回動され、図９（Ｃ）に示すように、スイッチ板４７の接点部５２が３つ目の接点７２と接触し、２つ目の接点７１との電気的導通を遮断して３つ目の接点７２と電気的導通をとり、巻真２４の正逆回転操作により例えばデジタルの表示切替を可能とする。
【００３３】
通常状態から巻真２４を二段引き出すと、オシドリ３４が段付きピン１６を中心としてさらに時計まわりに回動され、下向きピン３８が弾性部３３の突部ａを乗り越えてさらに逆隣りの位置決め部ｂにはまり込んで位置決めされる。そして、同じく段付きピン１６を中心としてスイッチ板４７も同方向に回動され、図９（Ｄ）に示すように、スイッチ板４７の接点部５２が４つ目の接点７３と接触し、３つ目の接点７２との電気的導通を遮断して４つ目の接点７３と電気的導通をとり、巻真２４の正逆回転操作により例えばアナログの針合わせを可能とする。
【００３４】
さて、巻真２４が軸方向にスライドされてモード選択された状態で、軸まわりに回転されると、スイッチ車１８もともに回転される。すると、図１０（Ａ）に示すように、スイッチ車１８の外周カム面２０，２１によりコンタクト板４０の２つの弾性片４４が位相をずらせて弾性変形され、個々に接点７４，７５と接離されることにより電気的導通をとりまたは遮断される。
【００３５】
そして、図１０（Ｂ）に示すように、はじめ外周カム面２０により弾性変形されて接点７４に接触し、一方の弾性片４４Ａのみがオンされ、次いで外周カム面２０，２１により各々弾性変形されて両接点７４，７５に接触し、両方の弾性片４４Ａおよび弾性片４４Ｂがともにオンされ、次に外周カム面２１により弾性変形されて接点７５に接触し、他方の弾性片４４Ｂのみがオンされ、弾性片４４Ａおよび弾性片４４Ｂがともにオフされ、続いて外周カム面２０により弾性片４４Ａのみがオンされたとき正転と判断される。
【００３６】
逆に、弾性片４４Ｂのみがオン、弾性片４４Ａおよび弾性片４４Ｂがともにオン、弾性片４４Ａのみがオン、弾性片４４Ａおよび弾性片４４Ｂがともにオフ、弾性片４４Ｂのみがオンの順序のとき逆転と判断される。そして、これにより例えば針の送り方向（正逆）が決定される。また、巻真２４の回転速度に応じて針の回動速度を決定され、回転回数に応じて針の送り量が決定されるようになっている。
【００３７】
ところで、上述した例では、図９（Ｂ）に示すように、巻真２４を押し込んだとき、上向きピン３７の先端を裏押え５４の爪状の第１規制部８０に当ててオシドリ３４およびスイッチ板４７のそれ以上の回動が阻止され、巻真２４のそれ以上の押し込みが規制される。また、図９（Ｄ）に示すように、巻真２４を二段引き出したときには、上向きピン３７の先端を裏押え５４の爪状の第２規制部８１に当ててオシドリ３４およびスイッチ板４７のそれ以上の回動が阻止され、巻真２４のそれ以上の引き出しが規制されるようになっている。
【００３８】
よって、第１規制部８０と第２規制部８１の間隔が異なる裏押え５４を用いることにより、例えば図１１に示すようにオシドリ３４およびスイッチ板４７の回動範囲を狭め、巻真２４の操作段数を、上向きピン３７の先端を裏押え５４の第１規制部８０に当ててオシドリ３４およびスイッチ板４７のそれ以上の回動が阻止される図１１（Ａ）の通常状態と、上向きピン３７の先端を裏押え５４の第２規制部８１に当ててオシドリ３４およびスイッチ板４７の反対方向へのそれ以上の回動が阻止される（Ｂ）の一段引き状態の二段切換えに制限することができる。
【００３９】
図１２には、外部操作ユニットの他例である巻真ユニットの組立て状態、ならびにそのＣ‐Ｃ線およびＤ‐Ｄ線断面を示す。図１３には、その巻真ユニットを分解して示す。
【００４０】
この例では、裏押え５４がオシドリバネ２８に一体化して設けられている。オシドリバネ２８には、同様に、矩形本体部２９に、ポスト孔３０と、その両側の位置決め孔３１と、ピン孔３２があけられており、矩形本体部２９からのびる弾性部３３には、先端近くに、３つの突部ａが形成され、それらにより複数の位置決め部ｂが形成されている。また、矩形本体部２９には、同じく爪状の第１規制部８０と第２規制部８１が設けられている。
【００４１】
そして、同様にユニットベース１０のカム車室１３に、カム車であるスイッチ車１８を入れてから巻真挿通孔１２に、外部操作ロッドである巻真２４が貫挿され、ユニットベース１０上に、回動レバーであるオシドリ３４、コンタクト板４０、スイッチ板４７、位置決め部材であるオシドリバネ２８が順に位置決めして重ね合わされ、固定ネジ５８で固定されてなる。この例では、オシドリ３４に、腕部に立てた上向きピン３７とともに尾部にも、下向きピンではなく上向きピン３９が立てられ、その上向きピン３９が弾性部３３と係合している。
【００４２】
このようにすると、図１ないし図１１に示す例に比し、裏押え５４をなくすことができるから、部品点数を削減することができる利点がある。しかし、スイッチ板４７がコンタクト板４０と干渉するおそれが生ずることから、それらを平面的にずらせて配置しなければならず、スイッチ板４７のアーム部５１が外向きに突出してユニットベース１０も大きくなり、巻真ユニット１００が大型化する欠点を有することとなる。
【図面の簡単な説明】
【００４３】
【図１】外部操作ユニットの一例である巻真ユニットの組立て状態平面図、ならびにそのＡ‐Ａ線およびＢ‐Ｂ線断面図である。
【図２】その巻真ユニットの分解平面図である。
【図３】その巻真ユニットに備えるスイッチ車の斜視図である。
【図４】そのスイッチ車に対する巻真の貫挿の仕方を示す図である。
【図５】そのスイッチ車に対して巻真を貫挿した状態を示す図である。
【図６】巻真ユニットに備えるコンタクト板の斜視図である。
【図７】（Ａ）は回路基板に対する巻真ユニットの取付状態の一例を示す図、（Ｂ）は他例を示す図、（Ｃ）はさらに他例を示す断面図である。
【図８】上述した巻真ユニットを備える時計モジュールの平面図と側面図である。
【図９】（Ａ）は上述した巻真ユニットの通常状態の平面図、（Ｂ）は押し込み状態の平面図、（Ｃ）は一段引き状態の平面図、（Ｄ）は二段引き状態の平面図である。
【図１０】（Ａ）はリューズを右回転したときのスイッチ車による弾性片の作動説明図、（Ｂ）はそのタイミングチャートである。
【図１１】裏押えを取り替えて巻真の軸方向スライド位置を二段切換えに制限した場合で、（Ａ）は通常状態、（Ｂ）は一段引き状態の平面図である。
【図１２】外部操作ユニットの他例である巻真ユニットの組立て状態平面図、ならびにそのＣ‐Ｃ線およびＤ‐Ｄ線断面図である。
【図１３】その他例である巻真ユニットの分解平面図である。
【符号の説明】
【００４４】
１０    ユニットベース
１６    段付きピン（回動中心）
１８    スイッチ車（カム車）
１９    スイッチ車の中心孔
２０，２１    外周カム面
２２    スイッチ車の凸部
２４    巻真（外部操作ロッド）
２８    オシドリバネ（位置決め部材）
３４    オシドリ（回動レバー）
４０    コンタクト板
４４    コンタクト板の弾性片
４５    コンタクト板の端子部
４７    スイッチ板
６２    回路基板
６５    ムーブメント
７０〜７３    接点
７４，７５    接点
１００    巻真ユニット（外部操作ユニット）
【図１】
2007071748.tif 000003
【図２】
2007071748.tif 000004
【図３】
2007071748.tif 000005
【図４】
2007071748.tif 000006
【図５】
2007071748.tif 000007
【図６】
2007071748.tif 000008
【図７】
2007071748.tif 000009
【図８】
2007071748.tif 000010
【図９】
2007071748.tif 000011
【図１０】
2007071748.tif 000012
【図１１】
2007071748.tif 000013
【図１２】
2007071748.tif 000014
【図１３】
2007071748.tif 000015